(57)【要約】【課題】自動運転の途中で使用者が衣類の追加や取り込み、部屋の扉の開閉などにより衣類乾燥の環境が変化した場合にも、自動運転が終了したときの衣類の生乾き防止や過剰乾燥の防止を図り効率的な衣類乾燥の自動運転を行うことができる除湿機を提供することを目的とする。【解決手段】衣類乾燥度の設定変更（Ｓ１９）の内容に応じて乾燥完了の判定値Ｄｘを補正して自動運転の終了条件の調整を行い（Ｓ２０〜Ｓ２３）、送風機の回転数や再生ヒータの付勢電力を調整（Ｓ２４〜Ｓ３１）して除湿能力を調整する。【選択図】図３
2011083673.tif 000002
【特許請求の範囲】
【請求項１】
本体内に設けた空気を除湿する除湿手段と、空気を送風する送風手段と除湿対象空気を加熱するヒータ制御手段と、前記除湿手段と送風手段とヒータ制御手段の運転を制御する制御部と、周辺空気の湿度を検出する湿度センサと、周辺空気の温度を検出する温度センサと、あらかじめ定めた衣類乾燥度に対して衣類乾燥度を高めるかまたは低めるかの設定をする衣類乾燥度設定手段を有する操作表示部とを有し、前記制御部は、衣類乾燥運転開始時に、前記湿度センサと温度センサの検出値から総乾燥量を設定するアルゴリズムと、一定期間毎に前記湿度センサと温度センサの検出値から衣類乾燥速度を検出するアルゴリズムと、前記一定時間毎にこの期間における乾燥速度の累積値を加算して乾燥量を算出するアルゴリズムと、この乾燥量と前記総乾燥量とを比較して衣類の乾燥が終了したことを判断するアルゴリズムとを有し、前記衣類乾燥度設定手段で設定した衣類乾燥度に応じて衣類乾燥運転を制御することを特徴とする除湿装置。
【請求項２】
制御部は、衣類乾燥度に応じて総乾燥量を補正するアルゴリズムを有する請求項１記載の除湿装置。
【請求項３】
制御部は、衣類乾燥度に応じて送風手段の送風量を変化させるアルゴリズムを有する請求項１記載の除湿装置。
【請求項４】
制御部は、衣類乾燥度に応じてヒータ制御手段の加熱量を変化させるアルゴリズムを有する請求項１記載の除湿装置。
【請求項５】
制御部は、衣類乾燥度を複数段階設けたことを特徴とした請求項１記載の除湿装置。
【請求項６】
制御部は、衣類乾燥度の設定内容を記憶し、記憶した衣類乾燥度の設定内容で衣類乾燥運転を行うことを特徴とした請求項１記載の除湿装置。
【請求項７】
制御部は、衣類乾燥運転の開始前または途中で衣類乾燥度の設定が行えることを特徴とした請求項１記載の除湿装置。
【請求項８】
制御部は、自動で運転を停止することを特徴とする請求項１記載の除湿機。
【請求項９】
制御部は、衣類乾燥度の設定内容を表示することを特徴とした請求項１記載の除湿装置。
【発明の詳細な説明】
【技術分野】
【０００１】
本発明は、室内に吊り下げた衣類を乾燥する機能を備えた除湿機に関する。
【背景技術】
【０００２】
従来、この種の衣類乾燥機能を備えた除湿機は、室内に吊り下げた衣類を乾燥させる場合に、除湿機に設けたタイマーの時限を使用者が設定することで、衣類乾燥運転を終了することが一般的であった（例えば、特許文献１参照）。
【先行技術文献】
【特許文献】
【０００３】
【特許文献１】特開２００１−１４１２８号公報
【発明の概要】
【発明が解決しようとする課題】
【０００４】
従来の方法では、自動運転の途中で使用者が衣類の追加や取り込み、部屋の扉の開閉などにより衣類乾燥の環境が変化した場合に、自動運転の終了条件や除湿能力の調整を行うことができないため、自動運転が終了したときに衣類の未乾燥（生乾き）や、過乾燥（乾きすぎ）が発生するという課題があった。
【０００５】
本発明は、このような従来の課題を解決するものであり、衣類乾燥運転中に衣類乾燥度を設定する手段を備えて、この衣類乾燥度の設定内容に応じて自動運転の終了条件や除湿能力を調整することにより、自動運転が終了したときの衣類の生乾き防止や過剰乾燥の防止を図り効率的な衣類乾燥の自動運転を行うことができる除湿機を提供することを目的としている。
【課題を解決するための手段】
【０００６】
本発明の除湿機は上記目的を達成するために、本体内に設けた空気を除湿する除湿手段と、空気を送風する送風手段と除湿対象空気を加熱するヒータ制御手段と、前記除湿手段と送風手段とヒータ制御手段の運転を制御する制御部と、周辺空気の湿度を検出する湿度センサと、周辺空気の温度を検出する温度センサと、あらかじめ定めた衣類乾燥度に対して衣類乾燥度を高めるかまたは低めるかの設定をする衣類乾燥度設定手段を有する操作表示部とを有し、前記制御部は、衣類乾燥運転開始時に、前記湿度センサと温度センサの検出値から総乾燥量を設定するアルゴリズムと、一定期間毎に前記湿度センサと温度センサの検出値から衣類乾燥速度を検出するアルゴリズムと、前記一定時間毎にこの期間における乾燥速度の累積値を加算して乾燥量を算出するアルゴリズムと、この乾燥量と前記総乾燥量とを比較して衣類の乾燥が終了したことを判断するアルゴリズムとを有し、前記衣類乾燥度設定手段で設定した衣類乾燥度に応じて衣類乾燥運転を制御する構成としたものである。
【０００７】
この手段により、衣類乾燥度を高めた時は、使用者が衣類の追加や部屋の扉を開けて室内の温湿度環境が変化したときに使用者が衣類乾燥度の設定をし直すことで、自動運転の衣類乾燥度を高めに調整した運転を行うことができるため、自動運転停止時に衣類の生乾きの防止と生乾きによる衣類へ付着するニオイ防止が図れる。
【０００８】
また、衣類乾燥度を低めた時は、使用者が衣類の一部を取り込んだ後に自動運転の衣類乾燥度を低めに調整した運転を行うため、無駄な運転を省き効率良く省エネ効果と過剰乾燥の防止が図れた除湿機が得られる。
【０００９】
また、他の手段は、制御部は、衣類乾燥度に応じて総乾燥量を補正するアルゴリズムを有するものである。
【００１０】
この手段により、衣類乾燥度に応じた係数を総乾燥量に掛けて総乾燥量の補正を行い自動運転の終了条件を調整することにより、使用者が意図とした衣類の乾燥状況や衣類の量の使用状況に応じた衣類乾燥運転が行える除湿機が得られる。
【００１１】
また、他の手段は、制御部は、衣類乾燥度に応じて送風手段の送風量を変化させるアルゴリズムを有するものである。
【００１２】
この手段により、衣類乾燥度を高めた時は、送風ファンの回転数を上げることにより、強い風を衣類へあて、衣類がより乾燥しやすくなり生乾きの防止となる。また、衣類乾燥度を低めた時は、送風ファンの回転数を下げることにより、無駄な電力消費を削減でき省エネすることができる除湿機が得られる。
【００１３】
また、他の手段は、制御部は、衣類乾燥度に応じてヒータ制御手段の加熱量を変化させるアルゴリズムを有するものである。
【００１４】
この手段により、衣類乾燥度を高めた時は、加熱量を上げることにより、高温の空気を衣類へあてることにより、衣類がより乾燥しやすくなり生乾きの防止となる。また、衣類乾燥度を低めた時は、加熱量を下げることにより、無駄な電力消費を削減でき省エネすることができる除湿機が得られる。
【００１５】
また、他の手段は、制御部は、衣類乾燥度を複数段階設けたことを特徴としたものである。
【００１６】
この手段により、衣類の量や部屋の広さや衣類の乾き具合について使用者の好みに合わせた衣類乾燥が行える除湿機が得られる。
【００１７】
また、他の手段は、制御部は、衣類乾燥度の設定内容を記憶し、記憶した衣類乾燥度の設定内容で衣類乾燥運転を行うことを特徴としたものである。
【００１８】
この手段により、使用者が同じ衣類乾燥度を再設定する手間を省くことができ、使い勝手の向上を図ることができる除湿機が得られる。
【００１９】
また、他の手段は、制御部は、衣類乾燥運転の開始前または途中で衣類乾燥度の設定が行えることを特徴としたものである。
【００２０】
この手段により、自動運転の途中で衣類を追加したり取り込んだりして衣類乾燥の環境が変化した場合でも効率よく運転が行え、使用者の実使用シーンに応じた衣類乾燥が行える除湿機が得られる。
【００２１】
また、他の手段は、制御部は、自動で運転を停止することを特徴としたものである。
【００２２】
この手段により、衣類の乾き度合いを使用者が確認しながら運転を手動で停止する作業が省略でき使い勝っての向上を図ることができる除湿機が得られる。
【００２３】
また、他の手段は、制御部は、衣類乾燥度の設定内容を表示することを特徴としたものである。
【００２４】
この手段により、衣類乾燥度の設定内容を視覚的に認識することができ使い勝手の向上を図ることができる除湿機が得られる。
【発明の効果】
【００２５】
本発明によれば、本体内に設けた空気を除湿する除湿手段と、空気を送風する送風手段と除湿対象空気を加熱するヒータ制御手段と、前記除湿手段と送風手段とヒータ制御手段の運転を制御する制御部と、周辺空気の湿度を検出する湿度センサと、周辺空気の温度を検出する温度センサと、あらかじめ定めた衣類乾燥度に対して衣類乾燥度を高めるかまたは低めるかの設定をする衣類乾燥度設定手段を有する操作表示部とを有し、前記制御部は、衣類乾燥運転開始時に、前記湿度センサと温度センサの検出値から総乾燥量を設定するアルゴリズムと、一定期間毎に前記湿度センサと温度センサの検出値から衣類乾燥速度を検出するアルゴリズムと、前記一定時間毎にこの期間における乾燥速度の累積値を加算して乾燥量を算出するアルゴリズムと、この乾燥量と前記総乾燥量とを比較して衣類の乾燥が終了したことを判断するアルゴリズムとを有し、前記衣類乾燥度設定手段で設定した衣類乾燥度に応じて衣類乾燥運転の制御を行う構成として、自動運転の途中で使用者が衣類の追加や取り込み、部屋の扉の開閉などにより衣類乾燥の環境が変化した場合にも、使用者が衣類乾燥度の設定をし直すことで、自動運転が終了したときの衣類の生乾き防止や過剰乾燥の防止を図り効率的な衣類乾燥の自動運転を行うことができるという効果のある除湿機を提供できる。
【図面の簡単な説明】
【００２６】
【図１】本発明の実施の形態１の除湿機の構造を示す図
【図２】同電気的な構成を示す図
【図３】同運転動作の詳細を示すフローチャート
【発明を実施するための形態】
【００２７】
本発明の請求項１記載の発明は、本体内に設けた空気を除湿する除湿手段と、空気を送風する送風手段と除湿対象空気を加熱するヒータ制御手段と、前記除湿手段と送風手段とヒータ制御手段の運転を制御する制御部と、周辺空気の湿度を検出する湿度センサと、周辺空気の温度を検出する温度センサと、あらかじめ定めた衣類乾燥度に対して衣類乾燥度を高めるかまたは低めるかの設定をする衣類乾燥度設定手段を有する操作表示部とを有し、前記制御部は、衣類乾燥運転開始時に、前記湿度センサと温度センサの検出値から総乾燥量を設定するアルゴリズムと、一定期間毎に前記湿度センサと温度センサの検出値から衣類乾燥速度を検出するアルゴリズムと、前記一定時間毎にこの期間における乾燥速度の累積値を加算して乾燥量を算出するアルゴリズムと、この乾燥量と前記総乾燥量とを比較して衣類の乾燥が終了したことを判断するアルゴリズムとを有し、前記衣類乾燥度設定手段で設定した衣類乾燥度に応じて衣類乾燥運転を制御する構成としたものであり、衣類乾燥度を高めた時は、使用者が衣類の追加や部屋の扉を開けて室内の温湿度環境が変化したときに衣類乾燥度の設定をし直すことで、自動運転の衣類乾燥度を高めに調整した運転を行うため、自動運転停止時に衣類の生乾きの防止と生乾きによる衣類へ付着するニオイの防止となり、衣類乾燥度を低めた時は、使用者が衣類の一部を取り込んだ後に自動運転の衣類乾燥度を低めに調整した運転を行うため、無駄な運転を省き効率良く省エネ効果と過剰乾燥の防止が図れるという作用を有する。
【００２８】
また、請求項２記載の発明は、制御部は、衣類乾燥度に応じて総乾燥量を補正するアルゴリズムを有するものであり、使用者が設定した衣類乾燥度に応じた係数を総乾燥量に掛けて総乾燥量を補正を行い自動運転の終了条件を調整することにより、使用者が意図とした衣類の乾燥状況や衣類の量の使用状況に応じた衣類乾燥運転が行えるという作用を有する。
【００２９】
また、請求項３記載の発明は、制御部は、衣類乾燥度に応じて送風手段の送風量を変化させるアルゴリズムを有するものであり、衣類乾燥度を高めた時は、送風ファンの回転数を上げることにより、強い風を衣類へあて、衣類がより乾燥しやすくなり生乾きの防止となり、衣類乾燥度を低めた時は、送風ファンの回転数を下げることにより、無駄な電力消費を削減でき省エネすることができるという作用を有する。
【００３０】
また、請求項４記載の発明は、制御部は、衣類乾燥度に応じてヒータ制御手段の加熱量を変化させるアルゴリズムを有するものであり、衣類乾燥度を高めた時は、加熱量を上げることにより、高温の空気を衣類へあてることにより、衣類がより乾燥しやすくなり生乾きの防止となり、衣類乾燥度を低めた時は、加熱量を下げることにより、無駄な電力消費を削減でき省エネすることができるという作用を有する。
【００３１】
また、請求項５記載の発明は、制御部は、衣類乾燥度を複数段階備えたものであり、衣類の量や部屋の広さや衣類の乾き具合について使用者の好みに合わせた衣類乾燥が行えるという作用を有する。
【００３２】
また、請求項６記載の発明は、制御部は、衣類乾燥度の設定内容を記憶し、記憶した衣類乾燥度の設定内容で衣類乾燥運転を行う構成を有するものであり、使用者が同じ衣類乾燥度を再設定する手間を省くことができ、使い勝手の向上が図れるという作用を有する。
【００３３】
また、請求項７記載の発明は、制御部は、衣類乾燥運転の開始前または途中で衣類乾燥度の設定を行える構成を有するものであり、自動運転の途中で衣類を追加したり取り込んだりして衣類乾燥の環境が変化した場合でも効率よく運転を行え、使用者の実使用シーンに応じた衣類乾燥が行えるという作用を有する。
【００３４】
また、請求項８記載の発明は、制御部は、自動で運転を停止する構成を有したものであり、衣類の乾き度合いを使用者が確認しながら運転を手動で停止する作業が省略でき使い勝っての向上が図れるという作用を有する。
【００３５】
また、請求項９記載の発明は、制御部は、衣類乾燥度の設定内容を表示する構成を有したものであり、衣類乾燥度の設定内容を視覚的に認識することができ使い勝手の向上が図れるという作用を有する。
【００３６】
以下、本発明の実施の形態について図面を参照しながら説明する。
【００３７】
（実施の形態１）
本発明の実施の形態１について図１〜図３を参照しながら説明する。まず、図１を用いて除湿機の構造を、図２を用いて電気的な構成を説明する。図１に示すように、除湿機は、本体１内に設けた除湿装置２と、送風機３と、再生ヒータ４と、制御部５に接続された本体の周辺空気の温度を検知する温度センサ６と本体の周辺空気の湿度を検知する湿度センサ７と、操作表示部８とで構成される。
【００３８】
除湿装置２は、回転する除湿手段としての除湿ロータ９と、再生ヒータ４により加熱された空気を除湿ロータ９に送風する再生ファン１０と、熱交換器１１および水タンク１２とで構成されている。
【００３９】
送風機３の駆動により、室内から吸い込まれた空気は熱交換器１１を冷却させた後に、除湿手段としての除湿ロータ９で吸湿され、除湿された空気が再び室内に放出されて室内の空気が除湿される。
【００４０】
除湿ロータ９で吸湿された水分は、除湿ロータ９の他方において、除湿ロータ９を加熱し再生する再生ヒータ４で加熱された温風により蒸発し、熱交換器１１で冷却されて水分として凝縮して水タンク１２に貯水される。
【００４１】
従って、除湿機の除湿能力は、再生ファン１０の送風力（ファン回転数）と、再生ヒータ４の付勢電力と、送風機３の送風力（ファン回転数）を変化させることにより調整することができる。
【００４２】
なお、操作表示部８には、図示しないが、除湿機の衣類乾燥度を使用者が選択して設定する設定スイッチと、衣類乾燥度を表示するＬＥＤを収納している（詳細後述）。
【００４３】
図２に示すように、制御部５は、マイクロコンピュータ２１を核とする構成である。
【００４４】
このマイクロコンピュータ２１に、除湿装置２と送風機３および再生ヒータ４がそれぞれの除湿制御手段２２と送風制御手段２３およびヒータ制御手段２４を介して接続されるとともに、湿度センサ７と、衣類乾燥運転のスタートを操作するためのスイッチや後述する衣類乾燥度を選択して設定する設定スイッチや衣類乾燥度を表示するＬＥＤが操作表示部８に接続されている。
【００４５】
ここで、除湿制御手段２２は、例えば、再生ファン１０を駆動するためのモータの巻き線タップ（図示しない）を切り換えるためのリレーであり、送風制御手段２３は、例えば、送風機３を駆動するためのモータの巻き線タップ（図示しない）を切り換えるためのリレーである。また、ヒータ制御手段２４は、例えば、再生ヒータ４のタップ（図示しない）を切り換えるためのリレーである。
【００４６】
また、マイクロコンピュータ２１の内部は、空気線図２５と、乾燥完了乾燥度Ｄｘテーブル（運転初期の室内温度と相対湿度に関連した実験結果に基づく常数テーブル）２６と、乾燥条件算出手段２７と、乾燥速度算出手段２８と、乾燥量を検出する乾燥度算出手段２９を内容している。
【００４７】
また、図３に示すように制御部５は、衣類乾燥運転開始時に、温度センサ６と湿度センサ７の信号を受けて周辺空気の温度Ｔｒと相対湿度Ｈｒとから、総乾燥量としての乾燥完了の判定値Ｄｘを設定するアルゴリズム５Ａと、一定期間毎に検出した前記温度Ｔｒと相対湿度Ｈｒに基づいて衣類の乾燥速度Ｔｔを算出するアルゴリズム５Ｂと、前記一定期間毎にこの期間における乾燥速度Ｔｔの累積値∫Ｔｔを加算して乾燥量（Σ∫Ｔｔ）を算出するアルゴリズム５Ｃと、前記乾燥量が前記の乾燥完了の判定値Ｄｘに達したときに衣類の乾燥が終了したと判断するアルゴリズム５Ｄと、操作表示部８で衣類乾燥度の設定変更の内容に応じて前記の乾燥完了の判定値Ｄｘの補正を行うアルゴリズム５Ｅと、前記乾燥度の設定内容に応じて送風機３の送風力の変更を行うアルゴリズム５Ｆと、前記乾燥度の設定内容に応じて再生ヒータ４の付勢電力を切り換えるアルゴリズム５Ｇとを有する。
【００４８】
そして、マイクロコンピュータ２１は、以上の内蔵している要部が温度センサ６と、湿度センサ７および、操作表示部８の情報に基づいて機能し、除湿装置２と、送風機３および、再生ヒータ４を制御する構成を有する。
【００４９】
上記構成において、以下本実施の形態の除湿機について、その運転動作を説明する。
【００５０】
本実施の形態の除湿機による衣類乾燥の運転は、使用者が操作表示部８の衣類乾燥運転のスタートスイッチ（図示しない）を押した時点から、衣類乾燥運転が自動的に終了するまで、図３のフローチャートに示すアルゴリズムによって除湿機の運転が進められる。
【００５１】
図３のＳ１１において、温度センサ６と湿度センサ７が除湿機周辺空気の温度Ｔｒと相対湿度Ｈｒを検知する。
【００５２】
次に、総乾燥量としての乾燥完了の判定値Ｄｘを設定するアルゴリズム５Ａは、Ｓ１２において、マイクロコンピュータ２１は、乾燥完了の判定値Ｄｘのテーブル２６から検知した前記温度Ｔｒと湿度Ｈｒに相当する乾燥完了の判定値Ｄｘを抽出して設定する。
【００５３】
次にＳ１３において、記憶していた衣類乾燥度の読み込みを行う。衣類乾燥度の記憶についてはＳ３２で後述する。
【００５４】
次にＳ１４において、一定時間（例えば１分）で除湿機周辺空気の温度Ｔｒと湿度Ｈｒを検知する。
【００５５】
また、衣類の乾燥速度Ｔｔを算出するアルゴリズム５Ｂは、Ｓ１５において、前記温度Ｔｒ  と湿度Ｈｒデータに基づいてマイクロコンピュータ２１が、以下の処理を実施する。すなわち、周辺空気の温度Ｔｒと湿度Ｈｒとから、周辺空気の全熱量Ｉｒと絶対湿度Ｈｒを求める。
【００５６】
さらにＳ１６において、周辺空気の全熱量Ｉｒと絶対湿度Ｘｒから乾燥条件算出手段２７が衣類近傍空気の絶対湿度Ｘｃを推定する（この場合衣類近傍空気の相対湿度は１００％として推定する）。
【００５７】
そして、Ｓ１７において、乾燥速度算出手段２８が、温度センサ６と湿度センサ７の検出値から推定した衣類近傍空気の絶対湿度Ｘｃと温度センサ６と湿度センサ７の検出値から算出した周辺空気の絶対湿度Ｘｒとの差に係数αを乗じた乾燥速度Ｔｔ（＝α（Ｘｃ−Ｘｒ））を演算する。
【００５８】
この乾燥速度Ｔｔは、乾燥量を算出するアルゴリズム５Ｃにより、Ｓ１８で乾燥度算出手段２９において加算累積され、加算累積値∫Ｔｔとしてマイクロコンピュータ２１内のメモリに記憶される。
【００５９】
そしてＳ１９において、使用者が操作表示部８で前記衣類乾燥度の設定変更がなければ、後述するＳ３３へジャンプするが、使用者が操作表示部８で前記衣類乾燥度の設定変更の操作を行った時は、前記衣類乾燥度の設定変更の内容に応じて前記の乾燥完了の判定値Ｄｘの補正を行うアルゴリズム５Ｅにより、前記衣類乾燥度の設定内容がレベル−２の時にＳ２０で前記の乾燥完了の判定値Ｄｘに係数ａ（例えば０．６）を掛けた値へ前記の乾燥完了の判定値Ｄｘの補正を行いマイクロコンピュータ２１内のメモリに記憶され、前記衣類乾燥度の設定内容がレベル−１の時にＳ２１で前記の乾燥完了の判定値Ｄｘに係数ｂ（例えば０．８）を掛けた値へ前記の乾燥完了の判定値Ｄｘの補正を行いマイクロコンピュータ２１内のメモリに記憶され、前記衣類乾燥度の設定内容がレベル＋１の時にＳ２２で前記の乾燥完了の判定値Ｄｘに係数ｃ（例えば１．２）を掛けた値へ前記の乾燥完了の判定値Ｄｘの補正を行いマイクロコンピュータ２１内のメモリに記憶され、前記衣類乾燥度の設定内容がレベル＋２の時にＳ２３で前記の乾燥完了の判定値Ｄｘに係数ｄ（例えば１．６）を掛けた値へ前記の乾燥完了の判定値Ｄｘの補正を行いマイクロコンピュータ２１内のメモリに記憶される。
【００６０】
次に、前記衣類乾燥度の設定内容に応じて送風機３の送風力の変更を行うアルゴリズム５Ｆにより、前記衣類乾燥度の設定内容がレベル−２の時にＳ２４で送風機３の送風力を２レベル下げ、前記衣類乾燥度の設定内容がレベル−１の時にＳ２５で送風機３の送風力を１レベル下げ、前記衣類乾燥度の設定内容がレベル＋１の時にＳ２６で送風機３の送風力を１レベル上げ、前記衣類乾燥度の設定内容がレベル＋２の時にＳ２７で送風機３の送風力を２レベル上げる。
【００６１】
次に、前記乾燥度の設定内容に応じて再生ヒータ４の付勢電力を切り換えるアルゴリズム５Ｇにより、前記衣類乾燥度の設定内容がレベル−２の時にＳ２８で再生ヒータ４の付勢電力を２レベル下げ、前記衣類乾燥度の設定内容がレベル−１の時にＳ２９で再生ヒータ４の付勢電力を１レベル下げ、前記衣類乾燥度の設定内容がレベル＋１の時にＳ３０で再生ヒータ４の付勢電力を１レベル上げ、前記衣類乾燥度の設定内容がレベル＋２の時にＳ３１で再生ヒータ４の付勢電力を２レベル上げる。
【００６２】
次にＳ３２において、Ｓ１９で操作表示部８で前記衣類乾燥度を変更した設定値の記憶を行う。図示しないが記憶媒体としてはマイクロコンピュータ２１に接続した不揮発性メモリを使用する。
【００６３】
次にＳ３３において、使用者が衣類乾燥度の設定内容を視覚的に認識できるように前記衣類乾燥度の設定内容に対応したＬＥＤの点灯を行う（ＬＥＤおよび具体的な表示は図示しない）。
【００６４】
また、衣類の乾燥が終了したと判断するアルゴリズム５Ｄは、Ｓ３４において、前記一定期間毎にこの期間における乾燥速度Ｔｔの累積値∫Ｔｔを加算して算出した乾燥量と、総乾燥量としての乾燥完了の判定値Ｄｘを比べて乾燥終了のチェックが行われ、このステップで「ＮＯ」と判断された場合、すなわち乾燥量が総乾燥量に満たない場合は、再びＳ１４に戻り、１分毎のＴｒとＨｒの検知を行い、これに基づいて前述の算出動作が行われ衣類の乾燥状態である累積値∫Ｔｔを算出しながら運転を続けることとなる。そして再びＳ３４で衣類の乾燥量が総乾燥量に達すると衣類乾燥運転が終了する。
【００６５】
以上説明したように本発明の除湿機は、衣類乾燥度の設定変更の内容に応じて乾燥完了の判定値Ｄｘを補正して自動運転の終了条件の調整を行い、送風機の回転数や再生ヒータの付勢電力を調整して除湿機の除湿能力を調整するようにしたものである。
【００６６】
このことにより、自動運転の途中で使用者が衣類の追加や取り込み、部屋の扉の開閉などにより衣類乾燥の環境が変化した場合にも、自動運転の終了条件や除湿能力を調整することにより、自動運転が終了したときの衣類の生乾き防止や過剰乾燥の防止を図り効率的な衣類乾燥の自動運転を行うことができる。
【産業上の利用可能性】
【００６７】
本発明の除湿機は、自動運転の途中で使用者が衣類の追加や取り込み、部屋の扉の開閉などにより衣類乾燥の環境が変化した場合にも、自動運転が終了したときの衣類の生乾き防止や過剰乾燥の防止を図り効率的な衣類乾燥の自動運転を行えるので家庭用の除湿機に関わらず旅館など業務用の用途にも適用できる。
【符号の説明】
【００６８】
１    本体
２    除湿装置
３    送風機
４    再生ヒータ
５    制御部
５Ａ  アルゴリズム
５Ｂ  アルゴリズム
５Ｃ  アルゴリズム
５Ｄ  アルゴリズム
５Ｅ  アルゴリズム
５Ｆ  アルゴリズム
５Ｇ  アルゴリズム
６    温度センサ
７    湿度センサ
８    操作表示部
９    除湿ロータ
１０  再生ファン
１１  熱交換器
１２  水タンク
【図１】
2011083673.tif 000003
【図２】
2011083673.tif 000004
【図３】
2011083673.tif 000005